Podtech/llm-jp-corpus-v4-ja_patent huggingface dataset:
(57)【要約】航空機用スクリュー、ファン及びウィンドタービンブレードのアスペクト比が低いことを特徴とする、低負荷の軸方向航空機のエアスクリュー、ファン及びウィンドタービンブレード。広いブレード端部に近いが、適切な距離のところに、（ブレード端部の側部とほぼ平行に）適切な長さと幅の低圧表面と高圧表面を接続する開口部が形成されている。作動時に、この開口部を通って流れる空気は、ブレードの端部に形成される乱流を排除する。【特許請求の範囲】
【請求項１】
軸方向流のロータ段に使用する広いブレード先端部を有し、前記ブレードの両側の圧力面及び吸引面を有する本体と、基部と先端部の間に延在するスパンと、前端と後端の間に延在するコード（翼弦）を有するエアスクリュー、ファン、およびウィンドタービンブレードであって、
前記ブレードの端部先端部に、前記圧力面及び前記吸引面の間に延びるノッチと、前記圧力面上で前記ブレードの本体を前記圧力面と前記吸引面の間で貫通する前記ノッチに続くチャネルを有し、
前記ブレードの端部先端部と前記ノッチの距離が、前記穴の長さに沿って、直径で１．２〜１．６７％変化することを特徴とするエアスクリュー、ファン、およびウィンドタービンブレード。
【請求項２】
強度を高めるために、前記ノッチが小さい中段を有して複数の部分に分割され得る、請求項１の軸方向流のロータ段に仕様する広いブレード先端部を有するエアスクリュー、ファン、およびウィンドタービンブレード。
【請求項３】
前記ノッチが、半径で０．１３９６２３のラジアン角を形成する請求項１又は２のエアスクリュー、ファン、およびウィンドタービンブレード。
【請求項４】
前記ノッチの長さが、前記ブレードの前記先端部の長さの約６０％である請求項３の広いブレード先端部を有するエアスクリュー、ファン、およびウィンドタービンブレード。
【請求項５】
前記ノッチの幅が、前記ノッチの長さの３．５３％である、請求項１〜４のいずれかの広いブレード先端部を有するエアスクリュー、ファン、およびウィンドタービンブレード。
【請求項６】
前記ノッチの前記基部が前記後端の近くに形成されている、請求項１〜５のいずれかの広いブレード先端部を有するエアスクリュー、ファン、およびウィンドタービンブレード。
【発明の詳細な説明】
【技術分野】
【０００１】
発明の主題
エアスクリュー、ファン、およびウィンドタービンブレードの圧力分布、およびこれによる流れ特性の決定は、ブレード（羽根）上の異なる圧力（低圧および高圧）領域を穴および／または切込みおよび／またはノッチ（切欠き）によって解決される。
【０００２】
元の圧力特性は、穴、切り込み、またはノッチ内の圧力差から生じる流れによって変化する。これらの変化は、（物理的および技術的観点から）ブレード上で、好ましくない乱流の発生が低減または排除されるという性質のものである。この解決策は、任意のサイズの器具で使用可能である。
【０００３】
実現のための１つの方法は、ブレードの端部に近いが、それから適切な距離にある点（個所）で、ブレードの端部にほぼ平行で、適切な幅の切込みを形成することができることである。この開口を通って流れる空気は、そうでなければブレードの端部に生じていた空気の乱流を解消する。
【発明の概要】
【発明が解決しようとする課題】
【０００４】
当業界の現在の知識によれば、このようなエアスクリュー、ファン、およびウィンドタービン（エアスクリュー、ファン、およびウィンドタービンブレード）は世界に存在せず、この分野では流通業者、製造業者または調査は知られていない（この分野の流通業者、製造業者または調査には知られていない）。
【０００５】
飛行機の翼と同様に、気流の分離−乱流の形成−を防ぐためにのみ、後縁の近くに開口部が適用される。この点に関し、実用的な実施の例は、知られていない。
【課題を解決するための手段】
【０００６】
１．エアスクリューブレードのアスペクト比が低く、広い前記ブレード端部に近いが、適切な距離のところに、適切な長さと幅を有し、ブレード端部の側部とほぼ平行の、低圧側表面及び高圧側表面を接続する開口部が形成された低負荷軸方向飛行機用エアスクリューであって、動作時には、この開口部を通って流れる空気は、前記ブレードの端部に形成された乱流を排除することを特徴とする軸方向飛行機用エアスクリュー。
２．ファンブレードのアスペクト比が低く、広い前記ブレード端部に近いが、適切な距離のところに、適切な長さと幅を有し、ブレード端部の側部とほぼ平行の、低圧側表面及び高圧側表面を接続する開口部が形成された低荷重軸方向ファンであって、動作時には、この開口部を通って流れる空気は、前記ブレードの端部に形成された乱流を排除することを特徴とする軸方向ファン。
３．ウィンドタービンブレードのアスペクト比が低く、広い前記ブレード端部に近いが、適切な距離のところに、適切な長さと幅を有し、ブレード端部の側部とほぼ平行の、低圧側表面及び高圧側表面を接続する開口部が形成された低荷重軸方向ウィンドタービンであって、動作時には、この開口部を通って流れる空気は、前記ブレードの端部に形成された乱流を排除することを特徴とする軸方向ウィンドタービン。
【国際調査報告】
2019529844.tif 000002
2019529844.tif 000003
2019529844.tif 000004
(57)【要約】  テントポール用ハブは、第１および第２の互いに反対側に位置するオリフィスが貫通して形成してある周壁を備えたベース部材を有し、周壁は、幅を備えたベース部材上側オリフィスを画定する上側リムを有する。ハブは、チャネルが貫通して形成してあるスイベル部材を更に有する。スイベル部材は、チャネルの下に設けられた底部分を有する。底部分は、ベース部材上側オリフィスの幅を超える幅を有する。
2019519698.tif 000002
【特許請求の範囲】
【請求項１】
テントポール用のハブであって、
周壁を備えたベース部材を有し、前記周壁を貫通して第１および第２の互いに反対側に位置するオリフィスが形成され、前記周壁は、幅を備えたベース部材上側オリフィスを画定する上側リムを有し、
スイベル部材を有し、前記スイベル部材を貫通してチャネルが形成され、前記スイベル部材は、前記チャネルの下に設けられた底部分を有し、前記底部分は、前記ベース部材上側オリフィスの幅を超える幅を有する、ハブ。
【請求項２】
前記周壁は、前記スイベル部材の全体を通過させることができるベース部材下側オリフィスを画定する下側リムを有する、請求項１記載のハブ。
【請求項３】
前記第１および前記第２のオリフィスは、前記スイベル部材を支持するためにテントポールを受け入れるよう形作られている、請求項１記載のハブ。
【請求項４】
前記スイベル部材は、前記ベース部材に対して回転可能である、請求項１記載のハブ。
【発明の詳細な説明】
【背景技術】
【０００１】
〔関連出願の説明〕
本願は、２０１６年４月２７日に出願された米国特許仮出願第６２／３２８，１９９号の優先権主張出願であり、この米国特許仮出願を参照により引用し、その記載内容全体を本明細書の一部とする。
【０００２】
多くのキャンプ用テントは、２つの可撓性ポール組立体を採用しており、これら２つの可撓性ポール組立体は、ポール組立体の端部と地面または他のテント支持面との間の４つの固着接触箇所を定めるよう互いに交差する。典型的には、ポール組立体は、一体形の非スイベル動作式構造体または２つの部品が締結具で互いに保持される２部品型組立体によって交差箇所のところで互いに保持される。
【発明の概要】
【発明が解決しようとする課題】
【０００３】
しかしながら、これらの方式の各々は、ポール組立体相互間の限定された（たとえあるとしても）相対回転運動しか可能にしない。
【課題を解決するための手段】
【０００４】
本発明によれば、テントポール用のハブが提供される。ハブは、周壁を備えたベース部材を有し、周壁を貫通して第１および第２の互いに反対側に位置するオリフィスが形成されている。周壁は、幅を備えたベース部材上側オリフィスを画定する上側リムを有する。ハブは、スイベル部材を更に有し、スイベル部材を貫通してチャネルが形成されている。スイベル部材は、チャネルの下に設けられた底部分を有する。底部分は、ベース部材上側オリフィスの幅を超える幅を有する。
一実施形態は、追加の機能を必要としないで２つの部品を互いに保持するために少なくとも１本のテントポールを用いる２部品型設計を含む。より具体的に言えば、上側スイベル動作部品は、ベース部品の底部を貫通した状態で嵌まり、そしてベース部品の頂部から外へ突き出る。かかる実施形態により、テントポールを互いに対して定位置に保持することができる一方で、一方のポールの他方のポールに対する１つの回転自由度の実現が可能である。
【０００５】
以下、添付の図面を参照して本発明の実施形態について詳細に説明する。
【図面の簡単な説明】
【０００６】
【図１】本発明の実施形態としてのテントポール用ハブの分解組立側面図である。
【図２】図１のハブの横から見た斜視図である。
【図３】図１のハブの横から見た斜視図であり、第１のテントポールがハブ内に挿入された状態を示す図である。
【図４】図１のハブの横から見た斜視図であり、２本のテントポールがハブ内に挿入された状態を示す図である。
【発明を実施するための形態】
【０００７】
本願は、本発明の１つまたは２つ以上の実施形態を開示することが意図されている。理解されるべきこととして、命令的な表現、例えば「〜しなければならない」、「〜することになる」などならびに特定の量の使用は、かかる実施形態のうちの１つまたは２つ以上に適用可能であると解されるべきであるが、必ずしもかかる実施形態の全てに適用可能であるとは限らない。したがって、本発明の実施形態は、かかる命令的用語との関連において説明された１つまたは２つ以上の特徴または機能を省くことができまたはかかる１つまたは２つ以上の特徴または機能の改造を含むことができる。
【０００８】
一実施形態は、追加の機能を必要としないで２つの部品を互いに保持するために少なくとも１本のテントポールを用いる２部品型設計を含む。より具体的に言えば、上側スイベル動作部品は、ベース部品の底部を貫通した状態で嵌まり、そしてベース部品の頂部から外へ突き出る。かかる実施形態により、テントポールを互いに対して定位置に保持することができる一方で、一方のポールの他方のポールに対する１つの回転自由度の実現が可能である。
【０００９】
次に図１および図２を参照すると、テントポール用のハブ１０が周壁３０を備えたベース部材２０を有し、周壁３０を貫通して第１および第２の互いに反対側に位置するオリフィス４０，５０が形成され、周壁は、所定の幅または直径のベース部材上側オリフィス７０を画定する上側リム６０を有する。周壁３０は、ベース部材下側オリフィス２５を画定する下側リム１５を有する。
【００１０】
ハブ１０は、スイベル部材８０を更に有し、スイベル部材８０を貫通してチャネル９０が形成されている。スイベル部材８０は、チャネル９０の下に設けられた底部分１００を有する。底部分１００は、ベース部材上側オリフィス７０の幅を超える幅または直径を有し、その結果、底部分１００は、上側オリフィス７０を通過することができないようになっている。しかしながら、図２に最も良く示されているように、スイベル部材８０全体は、ベース部材下側オリフィス２５を通過することができる。
【００１１】
次に、図３および図４を参照すると、第１および第２のオリフィス４０，５０は、上側オリフィス７０からのスイベル部材８０の外方突き出しを支援するために周壁３０を貫通した第１のテントポール１１０を受け入れるよう形作られている。次に、第２のテントポール１２０をチャネル９０中に挿入して通過させることができる。スイベル部材８０は、ポール１２０がポール１１０に対して回転可能であるようにベース部材２０に対して回転可能である。
【００１２】
本発明の好ましい実施形態を上述したように図示するとともに説明したが、本発明の精神および範囲から逸脱することなく多くの変更を行うことができる。したがって、本発明の範囲は、好ましい実施形態の開示によって限定されることはない。これとは異なり、本発明の範囲全体は、次の特許請求の範囲の記載を参照して定められるべきである。
【図１】
2019519698.tif 000003
【図２】
2019519698.tif 000004
【図３】
2019519698.tif 000005
【図４】
2019519698.tif 000006
【国際調査報告】
2019519698.tif 000007
2019519698.tif 000008
(57)【要約】  本発明は、家庭用温水供給接続部に関する。本発明の主要部は、温水供給部内に温水循環分岐（４）の終点である２つの出口（１）及び（２）があり、温水栓（７）と出口（１）及び（２）との間にＴ字取り付け具（８）が設置され、前記Ｔ字取り付け具（８）が、Ｔ字管（９）と、３つのたわみ管（１０）、（１１）、及び（１２）とを有することである。【選択図】図１
2019502891.tif 000002
【特許請求の範囲】
【請求項１】
強制温水循環付きの設備における家庭用温水供給接続部であって、温水供給部内に温水循環分岐（４）の終点である２つの出口（１）及び（２）があり、前記出口（１）及び（２）と温水栓（７）との間にＴ字取り付け具（８）が設置され、前記Ｔ字取り付け具（８）が、Ｔ字管（９）と、スタッド継手（１３）、（１４）、及び（１５）で終端する３つのたわみ管（１０）、（１１）、及び（１２）とを有することを特徴とする、家庭用温水供給接続部。
【請求項２】
前記Ｔ字取り付け具（８）が前記Ｔ字管（９）を備え、そのアームが前記たわみ管（１０）、（１１）、及び（１２）と一体化されることを特徴とする、請求項１に記載の家庭用温水栓接続部。
【発明の詳細な説明】
【技術分野】
【０００１】
本発明の主題は、温水循環システムにおける家庭用温水供給接続部である。
【背景技術】
【０００２】
集中温水調製システムは、特により大きな家の中で問題を生じる。温水が長期間使用されない場合に、循環ループと水栓との間のパイプの中にある水の部分は冷えており、水栓の開放の後に、温水がその定位置につく前に、流れ出る必要があることになる。循環ループと水栓との間の距離が長くなるほど、水の損失はより大きくなる。建築法規によれば、水栓が温水立ち上がり管から２ｍ超離れている場合に、設備内の一定の水流が３ｄｍ３を上回る体積でパイプ区域に提供されるはずである。水の損失を回避するために、循環ループは、可能な限り家庭用温水栓の近くに配置されるべきである。現在の家庭用水設備の慣行により、循環ループは、埋め込まれているので、それよりも遠くに配置される。
【０００３】
公知の家庭用温水設備では、循環ループは、建物の垂直及び水平の構造区画内に位置し、ループから、水栓のための温水の接続部が、雌ねじを設けられた、普通はねじ込まれた弁付きの１つの温水出口に接続される。
【発明の概要】
【０００４】
本発明によれば、温水循環分岐の終点である、温水供給接続における２つの出口があり、前記出口と温水栓との間にＴ字取り付け具が設置され、前記Ｔ字取り付け具は、Ｔ字管と、随意的に断熱され、スタッド継手で終端する、３つのたわみ管とを備える。Ｔ字取り付け具は、温水循環ループの外部の部分である。
【０００５】
本発明は、本発明に係るＴ字取り付け具の使用を通じて水栓と温水循環設備との距離の短縮の結果として、経済的な温水設備の構築を可能にする。従って、本発明は、水及びそれを加熱するのに必要とされるエネルギーの消費を低減させる。それは、簡素化された設置方法を必要とする様々な装置のための融通性のある接続として用いることができる。加えて、それは、そのような設備において設置後の設定を行う可能性を創出する。それは、家庭用温水システムの使用及び操作の快適さを向上させる。
【０００６】
本発明の主題が図面に例示的な実施形態で示されており、そこで、図１は温冷水栓の近くの設備の詳細を示しており、図２は本発明に係るＴ字取り付け具を示している。
【図面の簡単な説明】
【０００７】
【図１】温冷水栓の近くの設備の詳細を示す図である。
【図２】本発明に係るＴ字取り付け具を示す図である。
【発明を実施するための形態】
【０００８】
温冷水供給部内に、弁付きの３つの水システム出口１、２、及び３がある。第１の出口１及び第２の出口２は、温水加熱装置５に接続された循環設備４に接続される。第３の出口３は、冷水システム６に接続される。水栓７と第１の出口１及び第２の出口２との間に、しかしそれらの出口１及び２に関して外部に、Ｔ字取り付け具８が接続される。Ｔ字取り付け具８は、硬質Ｔ字管９と、スタッド継手１３、１４、及び１５で終端する３つのたわみ管１０、１１、及び１２とを有する。出口３は、断熱されたたわみ管１６を介して水栓７と外部で接続される。
【図１】
2019502891.tif 000003
【図２】
2019502891.tif 000004
【国際調査報告】
2019502891.tif 000005
2019502891.tif 000006
2019502891.tif 000007